(57)【要約】【課題】携帯時はコンパクトで、撮影時は良好な撮影姿勢が得られる小型の画像記憶装置付カメラを提供する。【解決手段】本体１０をカメラ光軸線Pに沿った棒状の形態とし、この本体１０をカメラ光軸Pと交差する斜めの回転面Qで前後に２分割分割し、一方の第１の本体１００にカメラ装置１０１、他方の第２の本体２００に記憶装置２０１を備えて、前記第１の本体１００を前記回転面Qに設けた回転軸部３００を介して前記第２の本体２００に対して回転可能に取り付け、前記第２の本体２００は、対向する筐体面の一方側をグリップ部２０２とし、他方側の筐体面に折たたみする薄型モニタ２０４を設けるようにする。【選択図】図１
2006098427.tif 000002
【特許請求の範囲】
【請求項１】
カメラ部を備えた第１の本体と記憶装置を備えた第２の本体とをカメラ光軸線に沿って前後に配置した画像記憶装置付カメラであって、
前記第１の本体と第２の本体は、前記カメラ光軸に対して斜めに交差する回転面に設けた回転軸部を介して回転可能に連結され、
前記第２の本体は、対向する筐体面の一方側をグリップ部とし、他方側の筐体面に折たたみ可能な薄型モニタを設け、
前記回転軸部は、第１の本体を第２の本体に対して少なくとも１８０度回転可能であり、この回転に伴って、前記カメラで撮影された画像の上下を反転して前記薄型モニタに表示する
ことを特徴とする画像記憶装置付カメラ。
【請求項２】
前記請求項１記載の画像記憶装置付カメラにおいて、
前記第２の本体は、前記薄型モニタで隠蔽される筐体面に再生関連操作部、背面側に動画像撮影開始スイッチ、上面側に静止画像撮影スイッチを配置している
ことを特徴とする画像記憶装置付カメラ。
【発明の詳細な説明】
【技術分野】
【０００１】
本発明は、画像の記録装置を備えたカメラに関するものであり、特に、本体の外形状を変化させて、携帯性と撮影時の保持姿勢が良好な画像記憶装置付カメラに関するものである。
【背景技術】
【０００２】
従来より、カメラと、このカメラで撮影した画像を記録装置（ＶＴＲ）などで記録する記憶装置付カメラが広く普及している。これらのカメラは、記憶装置の小型化により、小型化が進んでいる。
しかし、この種のカメラは、小型化が進んでも良好な保持姿勢とカメラおよび撮影状態を確認するモニタ（ビューファインダ）との関係は普遍的なものがある。特に、この種の携帯型のカメラでは、携帯時はコンパクトで、撮影時には保持性の良好なものが求められている。
【０００３】
例えば、この種の携帯型カメラの従来例として、カメラの光軸の延長線上にカメラに対して回転可能なＶＴＲ本体を設けて、携帯時には偏平な形態を取り、撮影時にはカメラを回転させて保持性が良好なグリップとするアイデアが、特許文献１に開示されている。また、偏平なＶＴＲ本体の対向する広い面にカメラとビューファインダをそれぞれ回転可能に設けたものが、特許文献２に開示されている。
【０００４】
【特許文献１】特開平３−２７３７６９号公報
【０００５】
【特許文献２】特開平７−２６４４４７号公報
【発明の開示】
【発明が解決しようとする課題】
【０００６】
近年、記憶技術が向上し、従来例のようにＶＴＲなどの大型の記録媒体に記憶しなくとも、小型のハードディスクや半導体記憶素子などに長時間画像を記憶することができる。したがって、携帯時には、これらの小型化技術を利用して、携帯性に良好なコンパクトな形態とすることができる。
しかし、撮影時は、小型化だから良いというものではなく、カメラの光軸やモニタ目線を考慮した楽な保持姿勢を得る必要がある。
そこで、この発明の目的とするところは、携帯時はコンパクトで、撮影時は良好な撮影姿勢が得られる小型の画像記憶装置付カメラを提供することにある。
【課題を解決するための手段】
【０００７】
本発明は、前記目的を達成するために、本体をカメラ光軸線に沿った棒状の形態とし、この本体をカメラ光軸と交差する斜めの回転面で前後に２分割分割し、一方の第１の本体にカメラ部、他方の第２の本体に記憶装置を備えて、前記第１の本体を前記回転面に設けた回転軸部を介して前記第２の本体に対して回転可能に取り付け、前記第２の本体は、対向する筐体面の一方側をグリップ部とし、他方側の筐体面に折たたみする薄型モニタを設けるようにする。
【発明の効果】
【０００８】
本発明によれば、携帯時はコンパクトで、撮影時は良好な撮影姿勢が得られる小型の画像記憶装置付カメラを提供することができる。
【発明を実施するための最良の形態】
【０００９】
以下、図１から図８を参照して、この発明に係る画像記憶装置付カメラを具体的に説明する。なお、同一の部位や方向などは同一符号を持って示し、重複した説明を省略する。
先ず、図１を参照して、この実施の形態に係る画像記憶装置付カメラの概略構造を説明する。図１は、画像記憶装置付カメラの外観図であり、図1（ａ）が携帯時の後方斜視図、図1（ｂ）が第２の撮影状態の前方斜視図である。
【００１０】
図１において、符号１で総括的に示す画像記憶装置付カメラは、本体１０をカメラ光軸Ｐに沿った棒状の形態とし、この本体１０をカメラ光軸Ｐと交差する斜めの回転面Ｑを介して、カメラ光軸Ｐの前方に位置する第１の本体１００と、カメラ光軸Ｐの後方に位置する第２の本体２００とに前後２分割している。
【００１１】
前記第１の本体１００はカメラ装置１０１を備え、他方の第２の本体２００は内部に記憶装置２０１を備えており、前記第１の本体１００を前記回転面Ｑに設けた回転軸部３００を介して前記第２の本体２００に対して回転可能に取り付けている。前記第２の本体２００は、対向する筐体面の一方側をグリップ部２０２とし、他方側の筐体面に折たたみ可能な薄型モニタ２０４の配置面２０３を設けている。
【００１２】
そして、この実施の形態の大きな特徴の１つは、第１の本体１００の前面にカメラレンズ部１０２を備え、このカメラレンズ部１０２のカメラ光軸Ｐの後方側に前記第２の本体２００を配置し、この第１の本体１００と第２の本体２００が連続する棒状の形態をとるように形成した点にある。この特徴を実現するために、この実施の形態では、従来、カメラ光軸Ｐの延長線上に設けられている光学式またはモニタ式のビューファインダを採用せず、折たたみ式の薄型モニタ２０４のみを採用している。
【００１３】
即ち、従来例では、光学式またはモニタ式のビューファインダと薄型モニタとの併用が一般的であるが、この実施の形態では折たたみ式の薄型モニタ２０４のみを採用している。そして、長手方向をカメラ光軸Ｐに一致させ、最も広い面をカメラ光軸Ｐに対して両側とする姿勢の第２の本体２００を前記第１の本体１００の後方に配置している。そして、前記広い面の一方の側面に薄型モニタ２０４を折たたみ可能に配置している。
【００１４】
この配置構成によれば、薄型モニタ２０４を第２の本体２００に折りたたみ、この第２の本体２００と第１の本体１００を棒状の形態とすることができるので、携帯性が良好である。また、この収納状態から薄型モニタ２０４を開くことで、例えば、薄型モニタ２０４の配置面２０３と対向する広い面を備えたグリップ部２０２を片手で保持した下向きの撮影に最適な第１の撮影姿勢を簡単にとることができる（図５参照）。
【００１５】
また、この実施の形態の他の大きな特徴の１つは、前記第１の本体１００と第２の本体２００をカメラ光軸Ｐに対して斜めに分断する前記回転面Ｑを備え、この回転面Ｑに設けた回転軸部３００を介して２つの本体を回転可能に連結した点にある。これにより、前記第１の撮影姿勢から、前記第１の本体１００を前記回転軸部３００を介して１８０度回転させる簡単な操作で保持姿勢を変えることなく、前方の撮影に最適な第２の撮影姿勢をとることができる。
【００１６】
以下、図２から図８を参照して、この実施の形態を更に詳細に説明する。先ず、図２を参照して、画像記憶装置付カメラの部品構成を説明する。図２は画像記憶装置付カメラの部品展開図である。
図２において、前記第１の本体１００は、この第１の本体１００の外装を構成する第１筐体１１０と、この第１筐体１１０の内部に配置されるカメラ装置１０１と、フラッシュ１０３と、マイクを備えたマイク基板１０４などで構成される。前記第１筐体１１０は、前部筐体１１１と後部筐体１１２などの複数の筐体で構成される。前記カメラ装置１０１は複数のレンズから構成されるカメラレンズ部１０２と図示しないカメラ素子などから構成される。この第１の本体１００は前記回転面Ｑにより、後部が斜めにカットされるため、内部実相効率の悪い容積を備えている。しかし、この実施の形態では、長い奥行き部分にカメラ装置１０１を備え、奥行きの短い部分にフラッシュ１０３やマイク基板１０４を配置することで前記課題を解決している。
【００１７】
前記第２の本体２００は、第２筐体２１０と、一方の広い面に配置される前記薄型モニタ２０４と、他方の広い面に配置されるバッテリー２１１とから構成される。前記第２筐体２１０は、前記薄型モニタ２０４が配置される一方の側面を覆う第２主筐体２１２と、バッテリー２１１側の側面を主体的に覆う第２サブ筐体２１３と端子カバー２１４とで、その外装を構成している。この実施の形態では、前記第２筐体２１０が前記回転面Ｑや、上面、底面および背面を主体的に構成するように形成し、前記第２サブ筐体２１３は、開放された他方の広い面のみを主体的に構成し、前記端子カバー２１４は前記第２サブ筐体２１３に配置される図示しない端子部を覆うように着脱可能または開閉可能に構成される。
【００１８】
そして、この第２筐体２１０の内部には、前記第２主筐体２１２側にメイン基板２１５を、前記サブ筐体２１３側に端子基板２１６を、前記２つの基板の間に長手方向をカメラ光軸Ｐに一致させる前記記憶装置（ハードディスク装置）２０１をそれぞれ配置している。また、前記メイン基板２１５の第２主筐体２１２側には第１のスイッチ基板２１８が、このメイン基板２１５と一体または分離して設けられ、更に前記記憶装置２０１の背面側と上面に第２スイッチ基板２１９と第３スイッチ基板２２０が配置される。
【００１９】
この実施の形態では、画像記録装置２０１として、小型のハードディスク装置を採用している。このハードディスク装置によれば、ＶＴＲのようにカセットテープなどの記録媒体の出し入れを行う必要がない。このため、記録媒体の投入口や出し入れの機構を設ける必要がないので、第２筐体２１０の構造を簡素化できて小型化をいっそう高めることができる。
【００２０】
前記メイン基板２１５には、この画像記憶装置付カメラ１を統括的に制御する図示しないマイコンや画像処理装置などが取り付けられている。また、前記第１の基板２１８には、前記記憶装置２０１の再生関連操作スイッチ類２９０（図１参照）が設けられ、前記第２の操作基板２１９には動画操作スイッチ類が設けられ、前記第３操作基板２２０には静止画像撮影スイッチが設けられている。前記端子カバー２１４は、前記バッテリー２１１とともに前記第２サブ筐体２１３を覆うように着脱可能に設けられている。前記端子カバー２１４内には図示しない外部接続端子が設けられている。
【００２１】
前記薄型モニタ２０４は、前部に配置されるヒンジ部２３０を介して、前記再生関連操作スイッチ類２９０を隠蔽するように前記第２筐体２１０へ折りたたまれる。この実施の形態では、薄型モニタ２０４の隠蔽される内面に液晶パネル２０５を設け、内面と対向する外面を平面部とし、閉じた状態から９０度開放可能としている。
前記回転軸部３００は、前記第１の本体１００と第２の本体２００を少なくとも１８０度回転可能とするものである。また、この回転軸部３００には、前記カメラ装置１０１で撮影された画像を１８０度回転させる図示しない画像回転スイッチが組み込まれている。
【００２２】
次に、図３を参照して回転軸部３００を説明する。図３は画像記憶装置付カメラの形態変化図であり、図3（ａ）が携帯時の側面図、図3（ｂ）が第２撮影状態の側面図である。
この回転軸部３００は回転面Ｑに設けられており、回転面Ｑのカメラ光軸Ｐに対する傾き角度Θ１を約６０度前後に設定している。そして、回転軸部３００の軸は前記回転面Ｑに直角に設定しているので、回転軸部３００はカメラ光軸Ｐと３０度前後の角度に設定される。この状態から、第１の本体１００を回転軸部３００を介して１８０度回転させ、カメラ光軸Ｐを水平にすると、第２の本体２００の長手方向Ｐ２のカメラ光軸Ｐに対する角度Θ３は約６０前後となり、第２の本体２００を片手で保持すると、カメラ光軸Ｐを水平に保つことが容易となる。
【００２３】
次に、図４を参照して、画像記憶装置付カメラ１の収納状態の外観構造を説明する。図４は、画像記憶装置付カメラの収納状態の外観図であり、図4（ａ）が前方斜視図、図4（ｂ）が後方斜視図である。
【００２４】
前記したように、この画像記憶装置付カメラ１は、収納状態では第１の本体１００と第２の本体２００とがカメラ光軸Ｐの延長線上に配列された棒状の形態を備えている。前記第１の本体１００の前部には円形のカメラレンズ部１０２とマイク１０４ａに通じるパンチング状の開口部１０４ｂが形成され、この開口部１０４ｂとカメラレンズ部１０２との間にフラッシュ１０３が配置される。一方、前記第１の本体１００の前部と対向する第２の本体２００の背面には、第２スイッチ基板２１９に設けられる録画ボタン２４０とズームレバー２４１が設けられる。また、前記第２の本体２００の上面後方には第３スイッチ基板２２０に設けられる静止画撮影ボタン２４３が設けられている。また、薄型モニタ２０４は、第２主筐体２１２と同じ大きさを備えているため、薄型モニタ２０４の開放は、背面側に設けた突起２４２を操作することで、簡単に開放できる。このように、この実施の形態では、画像記憶装置付カメラ１の後方（背面）側に収納状態で操作すべき操作類を集中配置している。
【００２５】
次に、第１の撮影姿勢を図５を参照して説明する。図５は画像記憶装置付カメラの第１撮影状態の外観図であり、図５（ａ）が後方斜視図、図５（ｂ）が前方斜視図である。
【００２６】
この実施の形態では、前記薄型モニタ２０４を開放することで、第１の撮影姿勢をとることができる。この第１の撮影姿勢は再生時の状態ともなるものである。この第１の撮影姿勢では、前記薄型モニタ２０４を開放することで、隠蔽されていた配置面２０３と液晶パネル２０５とが露出し、この配置面２０３に設けた再生関連操作スイッチ類２９０が露出する。
【００２７】
再生関連操作スイッチ類２９０は、円形の再生／一時停止ボタン２５０と、その周囲のリング状のスキップボタン（早送り、早戻し）２５１と、その周囲に点在して設けられるＮＡＶＩボタン２５２、選択ボタン２５３、メニューボタン２５４、停止ボタン２５５が設けられている。更に再生用スピーカ２５６も設けられている。
【００２８】
この第１の撮影姿勢によれば、カメラ装置１０１で撮影された画像を前記液晶パネル２０５でモニタしながら、前記録画ボタン２４０とズームレバー２４１、または、静止画撮影ボタン２４３を操作しながら撮影することができる。更にまた、再生関連操作スイッチ類２９０を操作することで、前記液晶パネル２０５に録画された画像を再生して見ることができる。
【００２９】
次に、第２の撮影姿勢を図６に基づいて説明する。図６は画像記憶装置付カメラの第２撮影状態の外観図であり、図６（ａ）がモニタを開いた状態の前方斜視図、図６（ｂ）がモニタを閉じた状態の前方斜視図である。
この実施の形態では、前記図５に示す第１の撮影姿勢から第１の本体１００を１８０度回転させて図６（ａ）に示す第２の撮影姿勢をとることができる。この第２の撮影姿勢では、本体１０が屈曲した形状となるので、第２の本体２００を片手で保持した際に、無理な撮影姿勢を取ることなく、前方の撮影が良好となる。
【００３０】
また、この実施の形態では、前記ヒンジ部２３０に電源をスリープ状態（節電状態）にする図示しないスイッチを設けている。このため、図６（ａ）で示す状態から図６（ｂ）で示すように、薄型モニタ２０４を閉じることにより、電源をスリープ状態とすることができるので、カメラの稼働時間を増やすことができる。
【００３１】
次に、図７、図８を参照して、前記図６に示す特徴ある第２の撮影姿勢を更に説明する。図７は撮影状態の参考図であり、（ａ）図が第２撮影状態の撮影姿勢図、（ｂ）図が第１撮影状態の撮影姿勢図である。図８は第２撮影状態の保持方法の説明図である。
【００３２】
図７(ａ)に示すように、この実施の形態では、第２の本体２００のグリップ部２０２を右手で保持する。この際、人差し指や薬指で第２の本体２００の上面を保持し、第２の本体２００の下部を手の平で保持する。このような保持姿勢であれば、親指は第２の本体２００の背面側に添える事ができる。
【００３３】
さて、(ａ)図に示すように第２の本体２００を保持して、使用者が薄型モニタ２０４を見る場合、肘を６０度程度曲げることで見ることができる。この６０度程度曲げた姿勢は、自然に腕を曲げた姿勢であり、使用者に苦にならない姿勢である。この姿勢であれば肘を脇にに付けることができるので、安定した姿勢で長時間の撮影に耐えることができる。
この実施の形態では、前記保持姿勢を取ると、カメラ光軸Ｐが水平な状態となる。したがって、第２の撮影姿勢は、前方の撮影に最適な姿勢である。
【００３４】
一方、第１の撮影姿勢で、使用者が第２の本体２００を同様に保持すると、カメラ光軸Ｐが斜め下方を向くことになる。したがって、この第１の撮影姿勢は斜め下方の撮影に適している。しかし、この第１の撮影姿勢で前方を撮影しようとすると、（ｂ）図の点線に示すように、肘を脇から離して上方に持ち上げなければならない。したがって、この肘を持ち上げた体制では、長時間の撮影に適していない。
【００３５】
図８において、この実施の形態に係る画像記憶装置付カメラ１では、動画撮影は親指操作で、静止画撮影は人差し指の操作で行うことができる。つまり、静止画を撮影するカメラでは、人差し指でシャッタを操作するのが一般的である。また、動画撮影では、親指で撮影するのが一般的である。この実施の形態では、この普通に馴れた人差し指と親指の操作をそのまま取り込んで、人差し指では上面に設けた静止画撮影ボタン２４３を操作することでシャッタを切ることができ、親指では背面に設けた録画ボタン２４０とズームレバー２４１を操作して動画を撮影することができる。
【００３６】
加えて、前記保持姿勢を取ると、前記再生関連操作スイッチ類２９０を配置している配置面２０３が保持する右手で隠れないので、左手で前記再生関連操作スイッチ類２９０を操作することができるし、また、この前記再生関連操作スイッチ類２９０は背面側に片寄って設けているので、保持する右手の親指でも操作することができる。
【図面の簡単な説明】
【００３７】
【図１】本発明の実施形態による画像記憶装置付カメラの外観図である。
【図２】本発明の実施形態による画像記憶装置付カメラの部品展開図である。
【図３】本発明の実施形態による画像記憶装置付カメラの形態変化図である。
【図４】本発明の実施形態による画像記憶装置付カメラの収納状態の外観図である。
【図５】本発明の実施形態による画像記憶装置付カメラの第１撮影状態の外観図である。
【図６】本発明の実施形態による画像記憶装置付カメラの第２撮影状態の外観図である。
【図７】本発明の実施形態による撮影状態の参考図である。
【図８】本発明の実施形態による第２撮影状態の保持方法の説明図である。
【符号の説明】
【００３８】
１…画像記憶装置付カメラ、１０…本体、１００…第１の本体、１０１…カメラ装置、１０２…カメラレンズ部、１０３…フラッシュ、１０４…マイク基板、１０４ａ…マイク、１０４ｂ…開口部、１１０…第１筐体、１１１…前部筐体、１１２…後部筐体、２００…第２の本体、２０１…記憶装置、２０２…グリップ部、２０３…配置面、２０４…薄型モニタ、２０５…液晶パネル、２１０…第２筐体、２１１…バッテリー、２１２…第２主筐体、２１３…第２サブ筐体、２１４…端子カバー、２１５…メイン基板、２１６…端子基板、２１８…第１のスイッチ基板、２１９…第２スイッチ基板、２２０…第３スイッチ基板、２３０…ヒンジ部、２４０…録画ボタン、２４１…ズームレバー、２４２…突起、２４３…静止画撮影ボタン、２９０…再生関連操作スイッチ類、３００…回転軸部、Ｐ…カメラ光軸、Ｑ…回転面。
【図１】
2006098427.tif 000003
【図２】
2006098427.tif 000004
【図３】
2006098427.tif 000005
【図４】
2006098427.tif 000006
【図５】
2006098427.tif 000007
【図６】
2006098427.tif 000008
【図７】
2006098427.tif 000009
【図８】
2006098427.tif 000010